(57)【要約】【課題】アップデートを行うためのプログラムやデータを最適なタイミングで取得することができるドアホン装置を提供すること。【解決手段】来訪者の来訪を検出する来訪検出手段と、前記来訪検出手段により検出された来訪の履歴情報を来訪履歴情報として記憶する来訪履歴情報記憶手段と、前記来訪履歴情報に基づいて、不使用タイミングを判定する不使用タイミング判定手段と、前記不使用タイミング判定手段により判定した不使用タイミングで、他の装置から通信回線を介してアップデートデータを取得するデータ取得手段と、プログラム及び当該プログラムで用いるデータを記憶する記憶手段と、前記取得したアップデートデータにより前記記憶手段に記憶したプログラム及び／又はデータを更新するアップデート手段と、を備える構成とした。【選択図】図１６
2010154347.tif 000002
【特許請求の範囲】
【請求項１】
来訪者に対してプログラムによって決定された来訪処理を行うドアホン装置であって、
来訪者の来訪を検出する来訪検出手段と、
前記来訪検出手段により検出された来訪の履歴情報を来訪履歴情報として記憶する来訪履歴情報記憶手段と、
前記来訪履歴情報に基づいて、不使用タイミングを判定する不使用タイミング判定手段と、
前記不使用タイミング判定手段により判定した不使用タイミングで、他の装置から通信回線を介してアップデートデータを取得するデータ取得手段と、
プログラム及び当該プログラムで用いるデータを記憶する記憶手段と、
前記取得したアップデートデータにより前記記憶手段に記憶したプログラム及び／又はデータを更新するアップデート手段と、
を備えたドアホン装置。
【請求項２】
前記不使用タイミング判定手段は、単位期間における不使用タイミングを判定することを特徴とする請求項１に記載のドアホン装置。
【請求項３】
前記不使用タイミング判定手段は、前記来訪履歴情報に基づき、前記単位期間内において来訪通知の検出間隔が最も長い時間帯を判定し、当該時間帯を不使用タイミングとして判定することを特徴とする請求項２に記載のドアホン装置。
【請求項４】
前記不使用タイミング判定手段は、前記来訪履歴情報に基づき、前記単位期間内において一定時間来訪者がない時間帯を判定し、当該時間帯を不使用タイミングとして判定することを特徴とする請求項２に記載のドアホン装置。
【請求項５】
前記不使用タイミング判定手段は、前記アップデートデータのデータサイズ又は前記アップデートデータの取得時間に応じて前記一定時間を変更することを特徴とする請求項４に記載のドアホン装置。
【請求項６】
前記不使用タイミング判定手段は、特定時間から始まる期間を前記単位期間として不使用タイミングを判定することを特徴とする請求項２〜５のいずれか１項に記載のドアホン装置。
【請求項７】
前記不使用タイミング判定手段は、前記特定時間を午前０時として不使用タイミングを判定することを特徴とする請求項６に記載のドアホン装置。
【請求項８】
前記来訪履歴情報を他のドアホン装置へ前記通信回線を介して送信する来訪履歴情報送信手段を備え、
前記他のドアホン装置から、前記データ取得手段により前記アップデートデータを取得する場合、前記不使用タイミング判定手段は、前記他のドアホン装置から当該他のドアホン装置の来訪履歴情報記憶手段に記憶した来訪履歴情報を前記通信回線を介して取得し、前記他のドアホン装置と自装置に共通する不使用タイミングを、前記データ取得手段がアップデートデータを取得する前記不使用タイミングとすることを特徴とする請求項１〜７のいずれか１項に記載のドアホン装置。
【請求項９】
前記来訪検出手段を設けた玄関子機を備え、
前記不使用タイミング判定手段は、前記不使用タイミングとして前記玄関子機の不使用タイミングを判定することを特徴とする請求項１〜８のいずれか１項に記載のドアホン装置。
【請求項１０】
玄関子機と、前記来訪検出手段を設けた室内親機を備え、
前記来訪検出手段は、前記玄関子機からの通知に基づき前記来訪者の来訪を検出する
ことを特徴とする請求項１〜８のいずれか１項に記載のドアホン装置。
【請求項１１】
コンピュータを、前記請求項１〜１０のいずれかに記載のドアホン装置における各手段として機能させるためのプログラム。
【請求項１２】
ドアホン装置と、当該ドアホン装置にアップデートデータを送信するサーバ装置とを有するドアホンシステムであって、
前記ドアホン装置は、
来訪者の来訪を検出する来訪検出手段と、
前記来訪検出手段により検出された来訪の履歴情報を来訪履歴情報として記憶する来訪履歴情報記憶手段と、
前記来訪履歴情報に基づいて、不使用タイミングを判定する不使用タイミング判定手段と、
前記不使用タイミング判定手段で判定した不使用タイミングで、前記サーバ装置から通信回線を介してアップデートデータを取得するデータ取得手段と、
プログラム及び当該プログラムで用いるデータを記憶する記憶手段と、
前記取得したアップデートデータにより前記記憶手段に記憶したプログラム及び／又はデータを更新するアップデート手段と、
を備え、
前記サーバ装置は、
アップデートデータを記憶するデータ記憶手段と、
前記ドアホン装置からの要求に応じて、当該ドアホン装置に前記データ記憶手段に記憶したアップデートデータを送信するデータ送信手段と、
を備えたことを特徴とするドアホンシステム。
【請求項１３】
ドアホン装置と、当該ドアホン装置にアップデートデータを通信回線を介して送信するサーバ装置とを有するドアホンシステムであって、
前記ドアホン装置は、
来訪者の来訪を検出する来訪検出手段と、
前記来訪検出手段により検出された来訪の履歴情報を来訪履歴情報として記憶する来訪履歴情報記憶手段と、
前記来訪履歴情報記憶手段に記憶した来訪履歴情報を前記サーバ装置へ送信する来訪履歴情報送信手段と、
プログラム及び当該プログラムで用いるデータを記憶する記憶手段と、
前記通信回線を介して前記サーバ装置からアップデートデータを取得するデータ取得手段と、
前記取得したアップデートデータにより前記記憶手段に記憶したプログラム及び／又はデータを更新するアップデート手段と、を備え、
前記サーバ装置は、
前記ドアホン装置から送信された来訪履歴情報に基づいて、前記ドアホン装置の不使用タイミングを判定する不使用タイミング判定手段と、
前記不使用タイミング判定手段で判定した不使用タイミングで、前記ドアホン装置へ通信回線を介してアップデートデータを送信するデータ送信手段と、を備えたことを特徴とするドアホンシステム。
【請求項１４】
複数のドアホン装置を備え、当該ドアホン装置間でアップデートデータを通信回線を介して送受信するドアホンシステムであって、
各前記ドアホン装置は、
来訪者の来訪を検出する来訪検出手段と、
前記来訪検出手段により検出された来訪の履歴情報を来訪履歴情報として記憶する来訪履歴情報記憶手段と、
前記来訪履歴情報に基づいて、不使用タイミングを判定する不使用タイミング判定手段と、
前記不使用タイミング判定手段で判定した不使用タイミングで、他のドアホン装置から通信回線を介してアップデートデータを取得するデータ取得手段と、
プログラム及び当該プログラムで用いるデータを記憶する記憶手段と、
前記取得したアップデートデータにより前記記憶手段に記憶したプログラム及び／又はデータを更新するアップデート手段と、
を備えたことを特徴とするドアホンシステム。
【請求項１５】
ドアホン装置でアップデートデータを取得するデータ取得方法であって、
来訪検出手段により来訪者の来訪を検出するステップと、
前記来訪検出手段により検出した来訪の履歴情報を来訪履歴情報として来訪履歴情報記憶手段に記憶するステップと、
前記来訪履歴情報記憶手段に記憶した来訪履歴情報に基づいて、不使用タイミングを不使用タイミング判定手段により判定するステップと、
前記タイミング判定手段によって判定した不使用タイミングで、データ取得手段により他のドアホン装置から通信回線を介してアップデータを取得するステップと、
前記データ取得手段によって取得したアップデートデータにより記憶手段に記憶したプログラム及び／又はデータをアップデート手段により更新するステップと、
を有するデータ取得方法。
【発明の詳細な説明】
【技術分野】
【０００１】
本発明は、記憶されているデータ及びプログラムを適切なタイミングで更新することができるドアホン装置、同ドアホン装置のプログラム、ドアホンシステム、及びドアホン装置のデータ取得方法に関する。
【背景技術】
【０００２】
従来、住居外の玄関などに設置される子機と、住居内部に設置される親機とを有し、この子機及び親機を介して、住居に来訪する者（来訪者）と住居内で応対する者（応対者）との通話を可能とするドアホン装置が知られている。
【０００３】
上記のようなドアホン装置では、子機に設けられた呼び出しボタンが来訪者によって押されると、来訪の意思を有する者の存在が音などによって住人に通知される。そして、応対者に応対の意思があるとき、子機に設けられたスピーカ及びマイクと親機に設けられたスピーカ及びマイクとを通話状態にする。
【０００４】
また、上記のようなドアホン装置では、近年、子機に来訪者（主に顔）を撮像するカメラが設けられ、このカメラによって撮像された画像（主に動画）を親機に設けられたモニタに表示するようにしたものが主流となっている。
【０００５】
さらに、ドアホン装置は、単に呼び出し及び通話を行う機能にとどまらず、セキュリティ面などを強化するなど多機能化が図られており、かかる機能を実現するためのプログラムやそのプログラムで用いるデータのアップデート（更新）が必要な場合が生じてきた。
【０００６】
そこで、サーバ装置にドアホン装置の更新プログラムなどを管理させておき、各ドアホン装置がサーバ装置に対して予め設定された時刻に接続し、最新のプログラムを取得してアップデートする手段を備えるドアホン装置が提案されている（例えば、特許文献１参照）。
【特許文献１】特開２００６−９４３６６号公報
【発明の開示】
【発明が解決しようとする課題】
【０００７】
しかしながら、上記のドアホン装置では、来訪者の来訪があるか否かにかかわらず、予め設定された時刻にサーバ装置に接続することになる。そのため、上記のドアホン装置では、来訪者に対する来訪処理とサーバ装置からのプログラム取得処理等を同時に行わなければならず、ドアホン装置の処理能力が低いと、その処理負荷により動作が不安定になる虞がある。
【０００８】
また、ドアホン装置の利用者によってプログラムやデータを更新するタイミングを指定することも考えられる。しかし、近年の生活スタイルの変化もあり、いつ何時来訪者の来訪があるかを把握することは難しい。
【０００９】
そこで、本発明は、アップデートを行うためのプログラムやデータを最適なタイミングで取得することができるドアホン装置、ドアホン装置のプログラム、ドアホンシステム、及びドアホン装置のデータ取得方法を提供することを目的とする。
【課題を解決するための手段】
【００１０】
請求項１に係る発明では、来訪者に対してプログラムによって決定された来訪処理を行うドアホン装置であって、来訪者の来訪を検出する来訪検出手段と、前記来訪検出手段により検出された来訪の履歴情報を来訪履歴情報として記憶する来訪履歴情報記憶手段と、前記来訪履歴情報に基づいて、不使用タイミングを判定する不使用タイミング判定手段と、前記不使用タイミング判定手段により判定した不使用タイミングで、他の装置から通信回線を介してアップデートデータを取得するデータ取得手段と、プログラム及び当該プログラムで用いるデータを記憶する記憶手段と、前記取得したアップデートデータにより前記記憶手段に記憶したプログラム及び／又はデータを更新するアップデート手段と、を備えたドアホン装置とした。
【００１１】
請求項２に係る発明は、請求項１に記載のドアホン装置において、前記不使用タイミング判定手段は、単位期間における不使用タイミングを判定することを特徴とする。
【００１２】
請求項３に係る発明は、請求項２に記載のドアホン装置において、前記不使用タイミング判定手段は、前記来訪履歴情報に基づき、前記単位期間内において来訪通知の検出間隔が最も長い時間帯又は当該検出間隔が所定時間以上の時間帯を判定し、当該時間帯を不使用タイミングとして判定することを特徴とする。
【００１３】
請求項４に係る発明は、請求項２に記載のドアホン装置において、前記不使用タイミング判定手段は、前記来訪履歴情報に基づき、前記単位期間内において一定時間来訪者がない時間帯を判定し、当該時間帯を不使用タイミングとして判定することを特徴とする。
【００１４】
請求項５に係る発明は、請求項４に記載のドアホン装置において、前記不使用タイミング判定手段は、前記アップデートデータのデータサイズ又は前記アップデートデータの取得時間に応じて前記一定時間を変更することを特徴とする。
【００１５】
請求項６に係る発明は、請求項２〜５のいずれか１項に記載のドアホン装置において、前記不使用タイミング判定手段は、特定時間から始まる期間を前記単位期間として不使用タイミングを判定することを特徴とする。
【００１６】
請求項７に係る発明は、請求項６に記載のドアホン装置において、前記不使用タイミング判定手段は、前記特定時間を午前０時として不使用タイミングを判定することを特徴とする。
【００１７】
請求項８に係る発明は、請求項１〜７のいずれか１項に記載のドアホン装置において、前記来訪履歴情報を他のドアホン装置へ前記通信回線を介して送信する来訪履歴情報送信手段を備え、前記他のドアホン装置から、前記データ取得手段により前記アップデートデータを取得する場合、前記不使用タイミング判定手段は、前記他のドアホン装置から当該他のドアホン装置の来訪履歴情報記憶手段に記憶した来訪履歴情報を前記通信回線を介して取得し、前記他のドアホン装置と自装置に共通する不使用タイミングを、前記データ取得手段がアップデートデータを取得する前記不使用タイミングとすることを特徴とする。
【００１８】
請求項９に係る発明は、請求項１〜８のいずれか１項に記載のドアホン装置において、前記来訪検出手段を設けた玄関子機を備え、前記不使用タイミング判定手段は、前記不使用タイミングとして前記玄関子機の不使用タイミングを判定することを特徴とする。
【００１９】
請求項１０に係る発明は、請求項１〜８のいずれか１項に記載のドアホン装置において、玄関子機と、前記来訪検出手段を設けた室内親機を備え、前記来訪検出手段は、前記玄関子機からの通知に基づき前記来訪者の来訪を検出することを特徴とする。
【００２０】
請求項１１に係る発明では、コンピュータを、前記請求項１〜１０のいずれかに記載のドアホン装置における各手段として機能させるためのプログラムとした。
【００２１】
請求項１２に係る発明では、ドアホン装置と、当該ドアホン装置にアップデートデータを送信するサーバ装置とを有するドアホンシステムであって、前記ドアホン装置は、来訪者の来訪を検出する来訪検出手段と、前記来訪検出手段により検出された来訪の履歴情報を来訪履歴情報として記憶する来訪履歴情報記憶手段と、前記来訪履歴情報に基づいて、不使用タイミングを判定する不使用タイミング判定手段と、前記不使用タイミング判定手段で判定した不使用タイミングで、前記サーバ装置から通信回線を介してアップデートデータを取得するデータ取得手段と、プログラム及び当該プログラムで用いるデータを記憶する記憶手段と、前記取得したアップデートデータにより前記記憶手段に記憶したプログラム及び／又はデータを更新するアップデート手段と、を備え、前記サーバ装置は、アップデートデータを記憶するデータ記憶手段と、前記ドアホン装置からの要求に応じて、当該ドアホン装置に前記データ記憶手段に記憶したアップデートデータを送信するデータ送信手段と、を備えたドアホンシステムとした。
【００２２】
請求項１３に係る発明では、ドアホン装置と、当該ドアホン装置にアップデートデータを通信回線を介して送信するサーバ装置とを有するドアホンシステムであって、前記ドアホン装置は、来訪者の来訪を検出する来訪検出手段と、前記来訪検出手段により検出された来訪の履歴情報を来訪履歴情報として記憶する来訪履歴情報記憶手段と、前記来訪履歴情報記憶手段に記憶した来訪履歴情報を前記サーバ装置へ送信する来訪履歴情報送信手段と、プログラム及び当該プログラムで用いるデータを記憶する記憶手段と、前記通信回線を介して前記サーバ装置からアップデートデータを取得するデータ取得手段と、前記取得したアップデートデータにより前記記憶手段に記憶したプログラム及び／又はデータを更新するアップデート手段と、を備え、前記サーバ装置は、前記ドアホン装置から送信された来訪履歴情報に基づいて、前記ドアホン装置の不使用タイミングを判定する不使用タイミング判定手段と、前記不使用タイミング判定手段で判定した不使用タイミングで、前記ドアホン装置へ通信回線を介してアップデートデータを送信するデータ送信手段と、を備えたドアホンシステムとした。
【００２３】
請求項１４に係る発明では、複数のドアホン装置を備え、当該ドアホン装置間でアップデートデータを通信回線を介して送受信するドアホンシステムであって、各前記ドアホン装置は、来訪者の来訪を検出する来訪検出手段と、前記来訪検出手段により検出された来訪の履歴情報を来訪履歴情報として記憶する来訪履歴情報記憶手段と、前記来訪履歴情報に基づいて、不使用タイミングを判定する不使用タイミング判定手段と、前記不使用タイミング判定手段で判定した不使用タイミングで、他のドアホン装置から通信回線を介してアップデートデータを取得するデータ取得手段と、プログラム及び当該プログラムで用いるデータを記憶する記憶手段と、前記取得したアップデートデータにより前記記憶手段に記憶したプログラム及び／又はデータを更新するアップデート手段と、を備えたドアホンシステムとした。
【００２４】
請求項１５に係る発明では、ドアホン装置でアップデートデータを取得するデータ取得方法であって、来訪検出手段により来訪者の来訪を検出するステップと、前記来訪検出手段により検出した来訪の履歴情報を来訪履歴情報として来訪履歴情報記憶手段に記憶するステップと、前記来訪履歴情報記憶手段に記憶した来訪履歴情報に基づいて、不使用タイミングを不使用タイミング判定手段により判定するステップと、前記タイミング判定手段によって判定した不使用タイミングで、データ取得手段により他のドアホン装置から通信回線を介してアップデータを取得するステップと、前記データ取得手段によって取得したアップデートデータにより記憶手段に記憶したプログラム及び／又はデータをアップデート手段により更新するステップとを有するデータ取得方法とした。
【発明の効果】
【００２５】
本発明によれば、使用者がアップデートのための時間をわざわざ設定しなくても、ドアホン装置の不使用タイミングでアップデート用のプログラムやデータを取得することができる。そのため、来訪者に対する来訪処理と、プログラムやデータなどの取得処理とが同時に行わることを可及的に防止でき、ドアホン装置の処理能力を特別に高めることなく、来訪者に対する来訪処理と、プログラムやデータなどの取得処理とを円滑に行うことが可能となる。
【発明を実施するための最良の形態】
【００２６】
以下、本発明の実施形態について説明する。
本発明の実施形態に係るドアホン装置は、単に呼び出し及び通話を行う機能（基本機能）のみではなく、セキュリティ面などを強化するための機能を実行するためのプログラム及びそのプログラムで用いるデータが記憶手段に記憶されており、なおかつ、そのプログラムやデータを、アップデート（更新）することを可能とするとともに、アップデートするためのアップデートデータを取得するタイミングを、ドアホン装置としての基本機能（来訪者の存在報知）が実行されているときを除くタイミング（不使用タイミング）で行うようにしたものである。
【００２７】
そこで、図１に示すように、本実施形態に係るドアホン装置１は、来訪者の来訪を検出する来訪検出手段と、前記来訪検出手段により検出された来訪の履歴情報を来訪履歴情報として記憶する来訪履歴情報記憶手段と、前記来訪履歴情報に基づいて、不使用タイミングを判定する不使用タイミング判定手段と、前記不使用タイミング判定手段により判定した不使用タイミングで、他の装置から所定の通信回線を介してアップデートデータを取得するデータ取得手段と、プログラム及び当該プログラムで用いるデータを記憶する記憶手段と、前記取得したアップデートデータにより前記記憶手段に記憶したプログラム及び／又はデータを更新するアップデート手段と、を備えた構成としている。
【００２８】
アップデートデータの入手先となる他の装置としては、例えば、通信回線介して通信可能とした後述する管理サーバ１００、あるいは他のドアホン装置などが考えられる。
【００２９】
ドアホン装置１は、マイクロコンピュータからなる情報処理装置２を備えており、この情報処理装置２は、記憶手段としての記憶部３に、所定のセキュリティプログラムを含むドアホン装置の動作を制御するプログラムや当該プログラムで用いるデータを記憶している。なお、記憶部３は、書き換え可能な記憶装置であって、例えばＥＰＲＯＭやハードディスク（ＨＤＤ）などを用いることができる。なお、出入自在のディスクタイプの記憶媒体を用いてもよい。
【００３０】
また、記憶部３は、前記来訪検出手段により検出された来訪の履歴情報を来訪履歴情報として記憶しており、来訪履歴情報記憶手段としても機能するものである。この来訪履歴情報記憶手段としては、前記ＲＡＭを用いてよいし、あるいは、前記ＲＯＭをＥＰＲＯＭとするか、別途備えるＥＰＲＯＭやＨＤＤや出入自在の記憶媒体を来訪履歴情報記憶手段として用いることもできる。
【００３１】
かかる記憶部３に記憶されたプログラムにより、本実施形態では、前記情報処理装置２（マイクロコンピュータ）を、前記来訪検出手段、不使用タイミング判定手段、データ取得手段、及びアップデート手段として機能させており、来訪者の検出機能、そして、その検出結果を在宅住人への報知する基本機能が実行されているか否かを判定する機能、例えばセキュリティ機能などをアップデートするためのアップデートデータを取得する機能、さらには、前記記憶部３に記憶したプログラムやデータを実際にアップデート（更新）する機能が発揮されるようになっている。
【００３２】
かかる構成により、ドアホン装置１は、来訪者に対する来訪処理と、プログラムやデータなどの取得処理とが同時に行わることを可及的に防止でき、ドアホン装置１の処理能力を特別に高めることなく、来訪者に対する基本的な来訪処理と、例えばセキュリティ機能などのためのプログラムやデータなどの取得処理とを円滑に行うことが可能となる。
【００３３】
（第１実施形態）
以下、本発明のいくつかの実施形態を、図面を参照しながらより具体的に説明する。なお、第１の実施形態では、ドアホン装置１と、当該ドアホン装置１がアップデートデータを入手する入手先である他の装置としての管理サーバ１００とを有するドアホンシステム４００について説明する。前記ドアホン装置１と管理サーバ１００とは、例えばインターネットなどのネットワーク２００（通信回線）を介して通信可能としている。
【００３４】
［ドアホンシステム４００の概要］
図２は第１の実施形態に係るドアホンシステムの構成の概要を示す説明図、図３は同システムにおけるドアホンを構成する室内親機の外観を示す説明図、図４は同システムにおけるドアホンを構成するドアホンを構成する玄関子機の外観を示す説明図である。
【００３５】
本実施形態に係るドアホンシステム４００は、図２に示すように、複数のドアホン装置１と管理サーバ１００とが通信回線としてのネットワーク２００を介して接続されることにより構成されている。
【００３６】
すなわち、本実施形態に係るドアホンシステム４００は、ドアホン装置１と、当該ドアホン装置１にアップデートデータを送信する管理サーバ１００とを有し、前記ドアホン装置１は、前述した各手段、すなわち、来訪者の来訪を検出する来訪検出手段と、前記来訪検出手段により検出された来訪の履歴情報を来訪履歴情報として記憶する来訪履歴情報記憶手段と、前記来訪履歴情報に基づいて、不使用タイミングを判定する不使用タイミング判定手段と、前記不使用タイミング判定手段で判定した不使用タイミングで、前記管理サーバ１００から通信回線を介してアップデートデータを取得するデータ取得手段と、プログラム及び当該プログラムで用いるデータを記憶する記憶手段と、前記取得したアップデートデータにより前記記憶手段に記憶したプログラム及び／又はデータを更新するアップデート手段とを備えている。
【００３７】
一方、前記管理サーバ１００は、アップデートデータを記憶するデータ記憶手段と、前記ドアホン装置１からの要求に応じて、当該ドアホン装置１に前記データ記憶手段に記憶したアップデートデータを送信するデータ送信手段とを備えている。
【００３８】
ところで、ドアホン装置１は、住居の内部に設置される室内親機１０と、玄関などの住居の外部に設置される玄関子機５０とがペアになって構成されている。そして、室内親機１０と玄関子機５０とは、互いに通信可能に接続されており、家屋外の来訪者と家屋内の応対者との間で、音声通話や各種データの受け渡しを行うことが可能である。
【００３９】
図３に示すように、室内親機１０は、ケーシング表面に、スピーカ１１と、マイク１２と、タッチパネル１５（図６参照）が内蔵されたモニタ１３とを備えている。また、図４に示すように、玄関子機５０は、ケーシング表面に、スピーカ５１、マイク５２、及びタッチパネル５７（図９参照）が内蔵されたモニタ５３の他、訪問者を撮像するためのカメラ５５と、訪問者が来訪を知らせるために操作する呼出ボタン５４とを備えている。
【００４０】
管理サーバ１００は、これもＣＰＵ、ＲＯＭ、ＲＡＭなどからなる記憶装置（図示せず）備えたコンピュータからなる情報処理装置を備えており、記憶装置がアップデートデータを記憶する前記データ記憶手段として機能し、さらには、この記憶装置に、管理サーバ１００により実行される処理を制御するプログラムを格納している。かかるプログラムにより、情報処理装置を、前記ドアホン装置１からの要求に応じて、当該ドアホン装置１に前記データ記憶手段に記憶したアップデートデータを送信するデータ送信手段として機能させている。
【００４１】
すなわち、本実施形態におけるドアホンシステム４００では、ドアホン装置１が自身の不使用タイミングを判定し、そのタイミングで管理サーバ１００へアップデートデータの送信要求を行い、この要求に応じて、管理サーバ１００は要求してきたドアホン装置１に前記記憶部に記憶したアップデートデータを送信するようになっている。
【００４２】
したがって、本実施形態では、例えば使用者がアップデートのための時間をわざわざ設定しなくても、ドアホン装置１の不使用タイミングを判定すると、そのタイミングで管理サーバ１００へアップデートデータの送信要求を行い、管理サーバ１００からはドアホン装置１の不使用タイミングでアップデートデータが送信されるため、ドアホン装置１は自身の不使用タイミングでアップデート用のプログラムやデータを取得することができる。
【００４３】
このように、来訪者に対する来訪処理と、プログラムやデータなどの取得処理とは同時に行わることがなくなるため、ドアホン装置１自体の処理能力を必要以上に高めなくとも、処理負荷により動作が不安定になる虞を可及的に防止することできる。しかも、ドアホン装置１の制御機能が複雑化することもなく、電気的構成が単純化されて生産コストを下げることが可能となる。
【００４４】
以下、本実施形態に係るドアホンシステム４００の一例について、より具体的に説明する。なお、本実施形態では、上述したドアホン装置１の情報処理装置２としては、室内親機１０は制御部３０（図６参照）が、玄関子機５０は制御部８０（図９参照）が同じ機能を担うが、来訪者の来訪を検出する来訪検出手段の機能としては、ここでは、玄関子機５０の制御部８０が担うこととしている。
【００４５】
［ドアホンシステム４００におけるドアホン装置１の動作概要］
本実施形態におけるドアホンシステム４００におけるドアホン装置１は、来訪検出手段を設けた玄関子機５０と室内親機１０とを備えており、玄関子機５０の来訪検出手段は、呼出ボタン５４や、タッチパネルが内蔵されたモニタ５３からの来訪検出情報によって来訪者の来訪を検出し、その検知結果を室内親機１０に通知するようにしている。
【００４６】
すなわち、ドアホン装置１は、来訪者により玄関子機５０の呼出ボタン５４が押されるか、又はモニタ５３に来訪者の指先などが触れると、来訪者が来訪したことを玄関子機５０が検出する。玄関子機５０は来訪者の来訪を検出すると、カメラ５５により来訪者の撮像を開始し、来訪検出情報を室内親機１０に送信する。室内親機１０は、カメラ５５により撮像された画像データを含む来訪検出情報を受信すると、来訪検出情報を受信した日時を来訪履歴情報として来訪履歴情報記憶手段に記憶する。また、ドアホン装置１では、玄関子機５０がマイク５２で取得した来訪者の音声と来訪者の映像を室内親機１０のスピーカ１１とモニタ１３に出力する。
【００４７】
また、本実施形態におけるドアホン装置１では、室内応対者は、来訪者の音声等からモニタ５３に内蔵されたタッチパネルで来訪者を評価することができ、この評価した来訪者の情報をタッチパネルの操作により室内親機１０に記憶させることができる。また、ドアホン装置１は、来訪者の評価の情報を、室内親機１０のモニタ１３に内蔵されたタッチパネルの操作及びネットワーク２００を介して管理サーバ１００に送信することができる。
【００４８】
室内親機１０が単位期間となる一定期間の来訪履歴情報を記憶し、その来訪履歴情報に基づいて、後述する制御部３０を備えた室内親機１０が、ドアホン装置１が全く使用されていないか又はほとんど使用されていない一定の時間帯を判定し、この一定の時間帯をドアホン装置１の不使用タイミングとして記憶部３に記憶する。なお、来訪履歴を記憶するための一定期間（単位期間）は予め適宜に設定される。本実施形態では、毎日の来訪履歴情報を取得するとともに、古い日付のデータを順次破棄しながら常に１週間分の来訪履歴情報を記憶しておくこととしている。したがって、直近の１週間の来訪履歴情報が室内親機１０の記憶部３に記憶されていることになる。
【００４９】
このように、来訪履歴情報を記憶部３に記憶しておくことで、室内親機１０の制御部３０は不使用タイミングを判定することができる。つまり、単位期間を上述したように１週間と設定した場合、１週間内においてドアホン装置１が全く使用されていないか又はほとんど使用されていない一定の時間帯を不使用タイミングと判定して記憶部３に記憶し、室内親機１０は、その時間帯にネットワーク２００を介して管理サーバ１００に接続し、アップデートデータ及び不審者の情報の送信要求を行うのである。
【００５０】
ところで、ドアホン装置１が全く使用されていないか又はほとんど使用されていない一定の時間帯を決定するに際し、制御部３０は、前記来訪履歴情報に基づき、前述のように設定された単位期間内において来訪通知の検出間隔が最も長い時間帯又は当該検出間隔が所定時間以上の時間帯を判定し、当該時間帯を不使用タイミングとして判定することができる。
【００５１】
あるいは、制御部３０は、前記来訪履歴情報に基づき、前記単位期間内において一定時間来訪者がない時間帯を判定し、当該時間帯を不使用タイミングとして判定することができる。
【００５２】
なお、不使用タイミングと判定される一定時間に関しては、アップデートデータのデータサイズ又は前記アップデートデータの取得時間に応じて変更できるようにすることが望ましい。
【００５３】
また、制御部３０は、特定時間から始まる期間を単位期間として不使用タイミングを判定するようにしている。例えば、特定時間を午前０時とし、午前０時から始まるある日から１週間を単位期間とし、この１週間の間において、来訪通知の検出間隔が最も長い時間帯又は当該検出間隔が所定時間以上の時間帯を、不使用タイミングと判定するのである。
【００５４】
このようにして決定された時間帯が、例えば、図５に示すように、午前２時〜午前４時までであれば、この時間帯が不使用タイミングとして記憶部３に記憶されることになる。なお、この不使用タイミングの決定については後に詳述する。
【００５５】
ところで、室内親機１０から管理サーバ１００へのアップデートデータ及び不審者の情報の送信要求は、記憶した一定の時間帯になれば毎日送信要求を行ってアップデートする設定としてもよいが、例えば、毎週日曜日の当該時間帯、あるいは毎月１日の当該時間帯にアップデートを行う設定としてもよい。
【００５６】
一方、管理サーバ１００は、ドアホン装置１のためのアップデートデータを記憶している。アップデートデータは、ドアホン装置１で使用するデータや更新プログラムである。また、管理サーバ１００は、不審者などに関するデータベースを有している。これは、複数のドアホン装置１により取得され管理サーバ１００に送信された不審者の評価情報を集めたものである。
【００５７】
なお、管理サーバ１００に記憶されたアップデートデータは、例えば、管理サーバ１００と通信可能に接続されたドアホンメーカやドアホン保守会社などの保守サーバ（図示せず）からアップロードされるものとしている。また、管理サーバ１００が記憶している不審者などの不審情報に関するデータベースについても、複数のドアホン装置１により取得されて管理サーバ１００に送信された不審者の評価情報の他、前記保守サーバから送られた評価情報も集積されている場合がある。
【００５８】
室内親機１０は、当該室内親機１０の記憶部３に記憶された不使用タイミングを検出すると、ネットワーク２００を介して管理サーバ１００に接続し、アップデートデータ及び不審情報の送信要求を行う。
【００５９】
管理サーバ１００は、ドアホン装置１の室内親機１０からの要求信号に応じて、アップデートデータ及び不審情報を折り返し送信する。そして、ドアホン装置１は、管理サーバ１００から取得したアップデートデータにより、ドアホン装置１の記憶手段に記憶したプログラム及び／又はデータを更新する。
【００６０】
［室内親機１０の電気的構成］
図６を参照して、本実施の形態における室内親機１０が備える回路の構成について説明する。
【００６１】
室内親機１０は、制御部３０、通話制御部４０、呼出音制御部４１、表示制御部４２などの各種制御部と、通信インターフェイス（Ｉ／Ｆ）４３と、外部通信Ｉ／Ｆ４４と、記憶部３と、時計機能を有する計時部４と、スピーカ１１、モニタ１３などの各種出力装置と、マイク１２、さらにはモニタ１３に設けたタッチパネル１５を入力装置として備えている。
【００６２】
制御部３０は、ＣＰＵ３１、ＲＯＭ３２及びＲＡＭ３３により構成される。ＣＰＵ３１は、ＲＯＭ３２に記憶されている制御プログラムに基づいてドアホン装置１の全体の制御を行う。また、ＣＰＵ３１は、他の制御部（通話制御部４０、呼出音制御部４１、表示制御部４２）、入力装置（タッチパネル１５）、出力装置（マイク１２、スピーカ１１、モニタ１３）、外部通信Ｉ／Ｆ４４及び玄関子機５０と協働し、ドアホン装置１が備える各手段（不使用タイミング判定手段、データ取得手段、及びアップデート手段）による機能を実現する。ＲＯＭ３２には、上記制御プログラムや、玄関子機５０に対して各種信号を送信するためのデータ等が記憶されている。
【００６３】
記憶部３は、前述したように、玄関子機５０により検出して得られた来訪者の来訪情報の履歴を記憶している。図７に示すテーブルのように、本実施形態における来訪履歴情報は、来訪日時を示すデータである。そして、この来訪履歴情報に基づいて、制御部３０のＣＰＵ３１がドアホン装置１の不使用タイミングを決定する。
【００６４】
また、記憶部３は、管理サーバ１００のデータベースに記憶されている不審者情報などの不審データ（図１１参照）がネットワークを介して取得されると、その取得された不審者データを記憶する。さらに、ドアホン装置１の室内親機１０のモニタ１３で用いられるアイコンや壁紙などのモニタ用データについても記憶している。そして、モニタ用データ、不審データのいずれも、ネットワークを介して新たにデータが取得される度に更新される。
【００６５】
また、計時部４は、カレンダー機能を有する時計機能を有し、現在の年月日及び時刻を出力することができる。
【００６６】
通話制御部４０には、マイク１２及びスピーカ１１が接続されている。通話制御部４０は、マイク１２によって集音された応対者の声などの音声を取得し、通信Ｉ／Ｆ４３を介して後述する玄関子機５０に出力する。また、通話制御部４０は、玄関子機５０から通信Ｉ／Ｆ４３を介して入力された来訪者の声などの音声をスピーカ１１から出力する。
【００６７】
呼出音制御部４１には、スピーカ１１が接続されている。呼出音制御部４１は、玄関子機５０から通信Ｉ／Ｆ４３を介して入力された呼出信号に基づいて、応対者に来訪者の来訪を通知する呼出音をスピーカ１１から出力する。玄関子機５０は、呼出ボタン５４が来訪者によって押されたとき、呼出信号を室内親機１０に対して出力する。
【００６８】
表示制御部４２には、タッチパネル１５を内蔵したモニタ１３が接続されている。表示制御部４２は、モニタ１３の表示及びタッチパネル１５からの入力を制御するもので、例えば、玄関子機５０のカメラ５５により撮像された来訪者の画像や、不審情報の表示や、応対者が対応した来訪者に関する不審情報のデータ入力を行う際の情報入力案内画像などをモニタ１３に表示する。
【００６９】
タッチパネル１５は操作入力部となり、室内応対者によるタッチ操作の入力を受け付ける。例えば、来訪者を不審者と判断した場合の不審情報の入力や、玄関子機５０との間の通話を許可する旨又は拒否する旨の入力を、表示される案内画面へのタッチ操作に応じて受け付けることができる。また、時刻調整などの入力もこのタッチパネル１５から行うことができる。
【００７０】
通信Ｉ／Ｆ４３は、通信ケーブル（無線であっても良い）を介して玄関子機５０が備える通信Ｉ／Ｆ９５（図９参照）と接続される。外部通信Ｉ／Ｆ４４は、ネットワーク２００を介して管理サーバ１００が備える通信装置１４３（図１０参照）と接続されている。すなわち、通信Ｉ／Ｆ４３は玄関子機５０との間で、外部通信Ｉ／Ｆ４４は管理サーバ１００との間で各種情報を送受信する。
【００７１】
室内親機１０は上述した構成を備えており、制御部３０のＣＰＵ３１がＲＯＭ３２の制御プログラムに従って動作することにより、外部通信Ｉ／Ｆ４４を介してネットワーク２００に接続されている管理サーバ１００に接続し、管理サーバ１００からアップデートデータを受信することができる。
【００７２】
すなわち、制御部３０のＣＰＵ３１は、記憶部３に記憶された来訪履歴情報に基づいてドアホン装置１の不使用タイミングを判定し、判定した不使用タイミング情報を記憶部３に記憶しておく。そして、ＣＰＵ３１が、記憶部３に記憶された不使用タイミング情報に相当する時間になったと判定すると、不使用タイミング情報をＲＡＭ３３の作業領域に展開し、管理サーバ１００に接続を要求する信号を送り、接続が許可されるとアップデートデータ要求信号を送信する。なお、ＲＯＭ３２には、当該ドアホン装置１のプロフィール情報として、図８に示すように、通信用アドレス、機種識別子、使用プログラム、プログラムのバージョン、製造年度などが記憶されている。ＣＰＵ３１は、アップデートデータ要求信号を送信する際に、当該ドアホン装置１の機種識別子についても同時に送信する。
【００７３】
そして、アップデートデータの要求信号を受けた管理サーバ１００は、機種識別子によって特定されるアップデートデータを室内親機１０に送信し、当該室内親機１０では、ＲＯＭ３２に記憶されている前記プロフィール情報に含まれる使用プログラム、プログラムのバージョンが更新されるとともに、前述したモニタ用データ、不審データについても更新されることになる。
【００７４】
［玄関子機５０の電気的構成］
次に、図９を参照して、本実施の形態における玄関子機５０が備える回路の構成について説明する。
【００７５】
玄関子機５０は、制御部８０、通話制御部９１、表示制御部９２、カメラ制御部９３、画像信号制御部９４などの各種制御部と、マイク５２、カメラ５５、呼出ボタン５４、さらにはモニタ５３に設けたタッチパネル５７などの入力装置と、スピーカ５１、モニタ５３などの出力装置と、室内親機１０と接続する通信Ｉ／Ｆ９５とを備えている。
【００７６】
制御部８０は、ＣＰＵ８１、ＲＯＭ８２及びＲＡＭ８３により構成される。ＣＰＵ８１は、ＲＯＭ８２に記憶されている制御プログラムに基づいて、玄関子機５０の全体の制御を行い、来訪検出手段としての機能の他、玄関子機５０が備える各機能を実現する。ＲＯＭ８２には、上記制御プログラムの他、室内親機１０に対して各種信号を送信するためのデータ等が記憶されている。ＲＡＭ８３には作業用の記憶領域が設けられている。
【００７７】
通話制御部９１には、マイク５２及びスピーカ５１が接続されており、マイク５２によって集音された来訪者の声などの音声を取得するとともに、室内親機１０から通信Ｉ／Ｆ９５を介して入力された応対者の声などの音声をスピーカ５１から出力する。
【００７８】
表示制御部９２には、モニタ５３が接続されており、この表示制御部９２はモニタ５３の表示を制御する。
【００７９】
なお、モニタ５３には室内親機１０同様に操作入力部であるタッチパネル５７が内蔵されている。タッチパネル５７は、来訪者による操作の入力を受け付けることができ、例えば、タッチすることで呼出ボタン５４の代わりにもなるとともに、来訪目的の入力を受け付けることができる。
【００８０】
カメラ制御部９３は、カメラ５５が接続されており、例えば、呼出ボタン５４が押されるか又はモニタ５３に来訪者の指先などが触れると、来訪者が来訪したことを検知して、カメラ制御部９３は、カメラ５５の動作を制御して来訪者を撮像する。そして、カメラ５５によって撮像された来訪者の画像データ（静止画及び動画を含む）を、画像信号制御部９４が通信Ｉ／Ｆ９５を介して室内親機１０に送信する。
【００８１】
通信Ｉ／Ｆ９５は、室内親機１０が備える通信Ｉ／Ｆ４３と接続されており、この通信Ｉ／Ｆ９５は室内親機１０との間で各種情報を送受信する。
【００８２】
［管理サーバ１００の電気的構成］
次に、図１０を参照して、本実施の形態における管理サーバ１００が備える回路の構成について説明する。
【００８３】
管理サーバ１００は、汎用のサーバコンピュータを適用することができ、制御部１３０と、制御部１３０に接続されるＩ／Ｏインターフェイス１２０と、Ｉ／Ｏインターフェイス１２０を介して制御部１３０に接続されるマウスコントローラ１４０、キーコントローラ１４１、ビデオコントローラ１４２、記憶部１１０としてのハードディスク装置（ＨＤＤ）及び通信装置１４３と、マウス１５０と、キーボード１５１と、ディスプレイ１５２とを備えている。
【００８４】
制御部１３０は、ＣＰＵ１３１、ＲＯＭ１３２及びＲＡＭ１３３により構成される。ＣＰＵ１３１は、ＲＯＭ１３２に記憶されている制御プログラムに基づいて、管理サーバ１００の全体の制御を行い、管理サーバ１００が備える各機能を実現する。ＲＯＭ１３２には、上記制御プログラムの他、室内親機１０に対して各種信号を送信するためのデータ等が記憶されている。ＲＡＭ１３３には、作業用の記憶領域が設けられる。また、本実施形態において、制御部１３０のＣＰＵ１３１は、ドアホン装置１の室内親機１０の接続要求信号を受信して室内親機１０との通信を確立する。さらに、ＣＰＵ１３１は、ドアホン装置１のための、更新データや更新プログラムを記憶部１１０において検索し、発見された場合、ドアホン装置１にこれらを送信する制御を行う。
【００８５】
マウスコントローラ１４０にはマウス１５０が接続され、キーコントローラ１４１にはキーボード１５１が接続される。そして、マウス１５０及びキーボード１５１を介して情報の入力が行われる。また、ビデオコントローラ１４２にはディスプレイ１５２が接続される。
【００８６】
通信装置１４３は、ネットワーク２００を介して室内親機１０が備える外部通信Ｉ／Ｆ４４と接続されている。通信装置１４３は、室内親機１０との間で各種情報を送受信する機能を有する。
【００８７】
記憶部１１０にはデータベースが記憶されている。データベースには、ドアホン装置１用の更新プログラムであるアップデートデータを記憶するアップデートデータのデータベース（更新プログラム記憶部）と、不審情報を記憶する不審情報データベース（不審情報記憶部）と、この管理サーバ１００が管理するドアホン装置のプロフィールデータのデータベース（ドアホン装置のプロフィール記憶部）などが設けられている。
【００８８】
アップデートデータベースは、ドアホン装置１の機種、使用プログラム、更新プログラム、更新データが記憶されている。更新データは、ドアホン装置１で使用するデータで、例えば、ドアホン装置１のモニタ１３（５３）に表示する画像やアイコンなどのデータである。更新プログラムは、ドアホン装置１の機能を追加したり、プログラムの不具合を修正したりするため現在の制御用プログラムを最新の制御用プログラムに書き換えるためのものである。これらのデータ等は前述の保守サーバ（図示せず）からアップロードされる。
【００８９】
不審情報データベースは、例えば、図１１に示すように、不審情報と、時間情報と、位置情報と、カメラ５５で撮影した訪問者の画像情報とがＩＤと関連して記憶している。不審情報についても保守サーバからアップロードされるものとしているが、複数のドアホン装置１から入力された室内対応者の評価を収集できる。
【００９０】
なお、不審情報の内容としては、例えば、「しつこい勧誘があった」、「口調がこわい」といった、不審者に対する応対者の評価が挙げられる。時間情報は、不審情報が応対者によって入力された日時を示すデータである。位置情報は、不審情報が入力されたドアホン装置１が設置されている住居の位置を特定するためのデータである。
【００９１】
かかる不審情報についても、管理サーバ１００からアップデート時に各ドアホン装置１に送信される。不審情報の更新データを受信したドアホン装置１の室内親機１０は、これを記憶部３に上書きして記憶するようにしている。なお、かかる不審情報は、例えば以下のようなセキュリティプログラムに用いられる。
【００９２】
すなわち、玄関子機５０のモニタ５３は、来訪者の来訪目的を入力させる項目情報を表示することができ、複数の項目情報の何れかを来訪者に選択させる。室内親機１０の制御部３０は、その入力された項目情報に関連付けて、記憶部３に記憶された不審情報を取得し、モニタ１３に、不審情報の内容（画像を含む）を内部表示部に表示する。
【００９３】
つまり、来訪者により入力された項目情報に応じて、過去の来訪者に関する不審情報が不審者と考えられる画像とともに応対者に表示されるので、応対者はこれを参考にして来訪者に応対するか否かを判断することができる。
【００９４】
［ドアホンシステム４００の動作フロー］
図１２〜図１７を参照して、ドアホンシステム４００におけるドアホン装置１の室内親機１０のＣＰＵ３１がプログラムに沿って実行する処理の一例について説明する。なお、ここでは、アップデート処理を毎日行う設定としている。
【００９５】
図１２はドアホン装置１のメイン処理の流れを示す説明図であり、図示するように、制御部３０のＣＰＵ３１は、先ず、ＲＡＭアクセス許可、作業領域初期化などの初期設定処理を実行する（ステップＳ１００）。
【００９６】
次いで、ＣＰＵ３１は、アップデート処理するタイミングか否かを判定し（ステップＳ１０５）、アップデートタイミングであると判定するとステップＳ４００に処理を移し、アップデートタイミングでないと判定した場合はドアホン装置１の基本動作処理である来訪処理を実行する（ステップＳ２００）。
【００９７】
ステップＳ２００の来訪処理は、図１３に示すように、ＣＰＵ３１は来訪者が検出されたか否かを判定する（ステップＳ２１０）。すなわち、玄関子機５０の呼び出しボタンが来訪者によって押されるか、又はモニタ５３に来訪者の指先などが触れると、玄関子機５０の制御部８０から室内親機１０の制御部３０に来訪検出情報が通知され、室内親機１０のＣＰＵ３１は、来訪者が来訪したことを検出する。
【００９８】
来訪者が検出されると、ＣＰＵ３１は、来訪履歴情報記憶処理を実行する（ステップＳ２２０）。すなわち、玄関子機５０の呼び出しボタンが来訪者によって押されるか、又はモニタ５３に来訪者の指先などが触れると、玄関子機５０のＣＰＵ８１がカメラ５５により来訪者を撮影するとともに、来訪日時を特定し、これを来訪履歴情報としてＲＡＭ８３に一時的に記憶し、ＲＡＭ８３に記憶した来訪履歴情報を通信Ｉ／Ｆ９５を介して室内親機１０に送信する。室内親機１０は、通信Ｉ／Ｆ４３を介して、玄関子機５０から送られた来訪履歴情報を記憶部３（来訪履歴情報記憶手段）に記憶するのである。
【００９９】
次いで、ＣＰＵ３１は通話処理を実行する（ステップＳ２３０）。すなわち、玄関子機５０がマイク５２で取得した来訪者の音声と来訪者の映像を室内親機１０のスピーカ１１とモニタ１３に出力するとともに、室内親機１０のマイク１２に入力された対応者の音声を玄関子機５０に送信する。
【０１００】
通話処理が終えると、ＣＰＵ３１は不審情報入力処理を行う（ステップＳ２４０）。すなわち、通話処理を終えると、モニタ１３に不審情報入力画面を表示して、対応者が応対した訪問者に対する評価を、タッチパネル１５を介して入力可能な状態とする。玄関子機５０を介して訪問者への応接を終えた対応者がスキップ入力（不審情報の入力を行わない）あるいは所定の不審情報入力を行うと、ＣＰＵ３１は、スキップ入力の場合はそのまま処理を終了し、不審情報の入力があれば、入力された情報を管理サーバ１００に送信する。なお、この送信タイミングは、不審情報が入力される度に行うようにしてもよいし、予め定められた時間に送信するようにしてもよい。本実施形態では、入力された不審情報を記憶部３に一時的に記憶しておき、アップデート処理を行うタイミングで管理サーバ１００に送信するようにしている。
【０１０１】
なお、ステップＳ２１０において、来訪者が検出されない場合、ＣＰＵ３１は処理をメイン処理（図１２）に移す。
【０１０２】
図１２のメイン処理に戻り、ＣＰＵ３１は、ステップＳ２００の来訪処理を終えると不使用タイミング決定処理を実行する（ステップＳ３００）。
【０１０３】
この不使用タイミング決定処理について、図１４を参照して説明する。図示するように、ＣＰＵ３１は、先ず、計時部４から取得した時間に基づいて、予め定められた一定期間が経過しているか否かを判定する（ステップＳ３１０）。本実施形態では、一定期間として２４時間が設定されており、不使用タイミング決定処理を毎日１回行うようにしている。このステップＳ３１０で、２４時間が経過していないと判定すると、処理をメイン処理に移す。
【０１０４】
２４時間経過していると判定すると、ＣＰＵ３１０は、記憶部３に記憶されている来訪履歴情報を、訪問時間順にソートする（ステップＳ３２０）。
本実施形態では、来訪履歴情報を、例えば、午前０時から始まる２４時間を１日とした７日間（１週間）を単位期間として、図７（ａ）に示すように、記憶部３に時系列に記憶している。これを、図７（ｂ）に示すように、１日における訪問時間の早い順にソートする。つまり、図７（ａ）に示す来訪履歴情報の中では、１０：０５（１月３日）の来訪時間が最も早い時間であり、１９：３４（１月６日）が最も遅い来訪時間である。
【０１０５】
次いで、ＣＰＵ３１は、訪問時間の各差分を計算して取得し（ステップＳ３３０）、次に訪問時間の差分の最大値を検出する（ステップＳ３４０）。そして、この差分の最大値から管理サーバ１００へのアップデートデータ要求のためのアクセスに最適な時刻の目安となる時刻（仮アクセス時刻）を算出する（ステップＳ３５０）。具体的には、図７（ｃ）に示すように、差分の最大値は、１９：３４（１月６日）から１０：０５（１月３日）までの間であるため１４時間３１分である。
【０１０６】
すなわち、単位期間である直近の１週間の間で見ると、来訪間隔が最も長いのは１９：３４から翌朝の１０：０５までの間なので、その時間帯が管理サーバ１００へアクセスしてアップデートデータをダウンロードするのに適していることが分かる。ここでは、この時間帯内における中間の時刻をアクセルの目安となる仮アクセス時刻とし、この時刻がアクセス時間の中間となるように、以下のように算出している。
【０１０７】
すなわち、仮アクセス時刻＝１９：３４＋（１４時間３１分／２）＝２６：４９となる。
【０１０８】
ＣＰＵ３１は、ステップＳ３６０において、ステップＳ３５０で算出した時刻が２４：００を超えているか否かを判定し、上述したように超えている場合は、２６：４９−２４：００として２：４９を導出する（ステップＳ３７０）。つまり、午前２：４９が不使用タイミング内における好適な管理サーバ１００へのアクセス時間の中間時刻（仮アクセス時刻）となる。なお、ステップＳ３６０において、ステップＳ３５０で算出した時刻が２４：００以内であれば、算出した時刻がそのままアアクセス時間の中間時刻となる（アクセス時刻）。
【０１０９】
また、本実施形態では、午前２：４９を仮アクセス時刻としたが、不使用タイミングの時間帯としては１４時間３１分の長い時間に亘っている。不使用タイミングの時間帯は、アップデートデータの要求からデータを取得して更新処理を行う時間よりも長ければよいので、例えばこれを３時間とすれば、図１６に示すように、午前２：４９を中間とした３時間の時間帯を不使用タイミングと設定することができる。
【０１１０】
このように、仮アクセス時刻が決定されれば、ＣＰＵ３１は、この仮アクセス時刻よりも所定時間早い時刻を実際のアクセス時刻として、実際のアクセス時刻を記憶部３に記憶し（ステップＳ３８０）、本不使用タイミング決定処理を終了してメイン処理に戻る。
【０１１１】
ところで、上述した例では、単位期間（１週間）内における一定時間帯を、来訪検出間隔が最も長い時間帯としたが、必ずしもそのように設定する必要はなく、来訪履歴情報に基づいて、一定時間来訪者がない時間帯を判定し、この時間帯を不使用タイミングとすることもできる。例えば、図１７に示した例では、来訪履歴情報から算出した結果、０１：００〜０３：３０の時間帯が不使用タイミングとなれば、月曜〜日曜日にかけて、毎日この時間帯にアップデート処理を行うのである。
【０１１２】
図７に示した来訪履歴情報に基づいて具体的に説明すると、訪問時間の順の差分で表わされる時間帯（図７（ｃ）参照）は、単位期間内においては来訪者が無いことが分かる。そこで、一定時間を例えば２時間とすると、１０：０５〜１３：００の時間帯Ａ、１５：１０〜１８：５３の時間帯Ｂ、及び１９：３４〜１０：０５の時間帯Ｃが不使用タイミングとすることができる。
【０１１３】
なお、このように、複数の時間帯が算出された場合、アップデートデータやアップデートプログラムが有る無しに拘わらず、各時間帯にアップデート処理を行ってもよいし、複数の時間帯の中から最も長い時間帯を選択して不使用タイミングとしてもよい。
【０１１４】
また、上記一定時間については、アップデートデータのデータサイズ又はアップデートデータの取得時間に応じて変更することができる。
【０１１５】
例えば、アップデートデータの取得時間に３時間以上を要することが分かっている場合は、一定時間を３時間とすれば、図７に示した例からは時間帯Ｂと時間帯Ｃとが不使用タイミングとなる。
【０１１６】
なお、図７に示した例は、理解を容易にするため、来訪者の数を極めて少ない場合を設定しているが、来訪頻度が高くなればそれだけ来訪者がない時間帯が狭まることが考えられる。その場合、一定時間を例えば３０分としても、アップデートデータのデータサイズ又はアップデートデータの取得時間によってはアップデート処理を終えることができない場合も考えられる。そのときは、アップデートデータとアップデート用プログラムとを切り離して、複数の時間帯に個別にアップデート処理を行うようにすることもできる。また、アップデートデータの量によっては、アップデートデータについても時間帯を分けてアップデート処理を行ってもよい。
【０１１７】
なお、単位期間は、必ずしも１週間とする必要はなく、１カ月や適宜に期間設定して構わない。しかし、１ヶ月や１年を単位期間とすると、来訪者が全く訪れることがない一定時間以上の時間帯が存在しなくなる場合も考えられるので、その場合は来訪者の頻度が最も少ない時間帯を不使用タイミングとすることもできる。
【０１１８】
さらに、単位期間の開始となる時間（特定時間）も、本実施形態では午前０時としたがその時刻に限るものではなく、午前６時からとか、正午からと設定してもよい。
【０１１９】
上述してきたように不使用タイミングが決定され、かつ管理サーバ１００へのアクセス時刻が設定されたドアホン装置１は、図１２のメイン処理に示すように、ＣＰＵ３１がステップＳ１０５において不使用タイミング（アクセス時刻）であると判定すると、アップデート処理を実行するが（ステップＳ４００）、このアップデート処理について、図１５を参照して説明する。なお、このアップデート処理については端末となる室内親機１０のアップデート処理に関連してなされる管理サーバ１００の動作処理についても並行して説明するため、図１５には管理サーバ１００の動作処理の流れについても示してある。
【０１２０】
ここで端末となるドアホン装置１（室内親機１０）のＣＰＵ３１は、不使用タイミングになると、図１５に示すように、管理サーバ１００に接続を要求する（ステップＳ４１０）。すなわち、室内親機１０のＣＰＵ３１が、室内親機１０の記憶部３に記憶されている不使用タイミングの始点時刻（実際のアクセス時刻）を検出し、外部通信Ｉ／Ｆ４４からネットワーク２００を介して管理サーバ１００へ接続を要求する信号を送るのである。
【０１２１】
管理サーバ１００は、ドアホン装置１からの接続の要求が有るか否かを判定しながら待機しており（ステップＳ４０５）、要求有りと判定するとドアホン装置１に接続する（ステップＳ４１５）。すなわち、管理サーバ１００の制御部１３０のＣＰＵ１３１が、ネットワーク２００を介して通信装置１４３より室内親機１０からの接続を要求する信号を受けるとＣＰＵ１３１はドアホン装置１の室内親機１０と接続して通信を確立する。
【０１２２】
次に、室内親機１０のＣＰＵ３１は、管理サーバ１００に、先ず、ドアホン装置１用の更新データがあるか問い合わせ信号を送る（ステップＳ４２０）。
【０１２３】
問い合わせを受けた管理サーバ１００は、更新データがあるかどうかを検索し、更新データの有無をドアホン装置１に連絡する（ステップＳ４２５）。そして、管理サーバ１００の制御部１３０のＣＰＵ１３１は、記憶部１１０にドアホン装置用の更新データがある場合（ステップＳ４３５：ＹＥＳ）、先の更新データの有無の連絡信号に続いて更新データを送信する（ステップＳ４３７）。この更新データの中には不審情報も含まれている。
【０１２４】
室内親機１０のＣＰＵ３１は、管理サーバ１００からの信号を受けて、更新データの有無を判定し（ステップＳ４３０）、無いと判定した場合は処理をステップＳ４５０に移す一方、有る場合は管理サーバ１００からの更新データを引き続き受信する（ステップＳ４４０）。更新データを受信した室内親機１０のＣＰＵ３１は、更新データを記憶部３に記憶して、必要に応じて古いデータを上書きする。
【０１２５】
次に、室内親機１０のＣＰＵ３１は、管理サーバ１００にドアホン装置１用の更新プログラムがあるかどうか問い合わせ信号を送る（ステップＳ４５０）。
【０１２６】
問い合わせを受けた管理サーバ１００は、更新プログラムがあるかどうかを検索し、更新プログラムの有無をドアホン装置１に連絡する（ステップＳ４５５）。そして、管理サーバ１００の制御部１３０のＣＰＵ１３１は、記憶部１１０にドアホン装置用の更新プログラムがある場合（ステップＳ４５７：ＹＥＳ）、先の更新プログラムの有無の連絡信号に続いて更新プログラムを送信する（ステップＳ４６５）。
【０１２７】
室内親機１０のＣＰＵ３１は、管理サーバ１００からの信号を受けて、更新プログラムの有無を判定し（ステップＳ４６０）、無いと判定した場合は処理をステップＳ４８０に移す一方、有る場合は管理サーバ１００からの更新プログラムを引き続き受信する（ステップＳ４７０）。更新プログラムを受信した室内親機１０のＣＰＵ３１は、更新プログラムを記憶部３に上書きして記憶してアップデートを行う。
【０１２８】
更新プログラムの送信処理（ステップＳ４６５）を終えた管理サーバ１００のＣＰＵ１３１は、ドアホン装置１（室内親機１０）との通信を切断する（ステップＳ４８５）、そして、更新プログラムの受信を終えた室内親機１０のＣＰＵ３１も管理サーバ１００との通信を切断する（ステップＳ４８０）。
【０１２９】
このようにして、本実施形態によれば、プログラムやデータのアップデート（更新）タイミングを、ドアホン装置１としての基本機能である来訪者との応答処理が実行されることのないタイミングで効率的に行うことができる。
【０１３０】
ところで、上述してきた実施形態では、玄関子機５０の制御部８０が来訪検出手段として機能し、室内親機１０が玄関子機５０からの通知に基づいて、来訪の履歴情報を来訪履歴情報として室内親機１０の記憶部３で記憶し、この来訪履歴情報に基づいて不使用タイミングを判定するとしている。かかる構成の場合、例えば、室内親機１０を介して外出情報を入力可能とし、この外出情報が玄関子機５０に送信されるような構成とすることで、玄関子機５０が来訪を検出した際に、「現在留守にしています。」などのメッセージをスピーカ５１から出力させることもできる。また、タッチパネル５７から用件を入力させてもよい。こうして、ドアホン装置１の利用者が留守であったり、対応しなかったりした場合でも、来訪者の来訪履歴を検出することができる。
【０１３１】
また、この場合も、セキュリティの面からすれば、玄関子機５０は、来訪を検出するとカメラ５５で来訪者を撮影し、この撮像データを来訪履歴情報とともに室内親機１０に通信するものとしておくことが好ましい。
【０１３２】
他方、玄関子機５０の制御部８０に代えて、室内親機１０の制御部３０を来訪検出手段として機能させてもよい。すなわち、玄関子機５０の制御部８０は、タッチパネル５７やカメラ５５の制御を主体とし、玄関子機５０が備える入力装置である呼出ボタン５４やタッチパネル５７の入力信号を、室内親機１０の制御部３０に直接入力させるようにして、室内親機１０の制御部３０を来訪検出手段とした構成するものである。
【０１３３】
また、室内親機１０の制御部３０を来訪検出手段とする場合、例えば、玄関子機５０を、呼出ボタン５４、マイク５２、スピーカ５１のみを入出力装置として設けた簡易な構成とすることができ、カメラ５５やタッチパネル５７などを備えていない分だけ廉価なドアホン装置１を実現することができる。
【０１３４】
（第２実施形態）
上述してきたドアホンシステム４００では、ドアホン装置１で不使用タイミングを判定したが、管理サーバ１００がドアホン装置の不使用タイミングを判定するドアホンシステムとすることもできる。
【０１３５】
図１８は第２実施形態に係るドアホンシステムの概略を示す説明図であり、図示するように、ドアホンシステムは、ドアホン装置１と、当該ドアホン装置１にアップデートデータを通信回線であるネットワーク２００を介して送信する管理サーバ１００とを有する構成となっている。
【０１３６】
前記ドアホン装置１は、来訪者の来訪を検出する来訪検出手段と、前記来訪検出手段により検出された来訪の履歴情報を来訪履歴情報として記憶する来訪履歴情報記憶手段と、前記来訪履歴情報記憶手段に記憶した来訪履歴情報を前記管理サーバ１００へ送信する来訪履歴情報送信手段と、プログラム及び当該プログラムで用いるデータを記憶する記憶手段と、前記ネットワーク２００を介して前記サーバ装置からアップデートデータを取得するデータ取得手段と、前記取得したアップデートデータにより前記記憶手段に記憶したプログラム及び／又はデータを更新するアップデート手段と、を備えている。この場合も来訪検出手段、データ取得手段、及びアップデート手段は制御部３０がその機能を担い、来訪履歴情報記憶手段、記憶手段は記憶部３が、来訪履歴情報送信手段は外部通信Ｉ／Ｆ４４がその機能を担う（図６参照）。
【０１３７】
このように、本実施形態に係るドアホン装置１は、図１に示した不使用タイミング判定手段に代わり、来訪履歴情報記憶手段に記憶されている来訪履歴情報を管理サーバ１００に送信する来訪履歴情報送信手段を備えた構成となっている。
【０１３８】
一方前記管理サーバ１００は、前記ドアホン装置１から送信された来訪履歴情報に基づいて、前記ドアホン装置１の不使用タイミングを判定する不使用タイミング判定手段と、前記不使用タイミング判定手段で判定した不使用タイミングで、前記ドアホン装置１へネットワーク２００を介してアップデートデータを送信するデータ送信手段とを備えている。不使用タイミング判定手段は、制御部１３０がその機能を担い、データ送信手段としては通信装置１４３がその機能を担っている。また、ドアホン装置１から送信された来訪履歴情報は、記憶部１１０に記憶するようにしている（図１０参照）。
【０１３９】
そして、管理サーバ１００が、ドアホン装置１から送信された来訪履歴情報に基づいて、ドアホン装置１の不使用タイミングを判定し、判定した不使用タイミングで、前記ドアホン装置１へネットワーク２００を介してアップデートデータを送信するのである。
【０１４０】
なお、ドアホン装置１の前記来訪検出手段、データ取得手段、アップデート手段としては、室内親機１０のマイクロコンピュータからなる制御部３０がその機能を担い、来訪履歴情報送信手段としては、外部通信Ｉ／Ｆ４４がその機能を担っている（図６参照）。
【０１４１】
以下、図１９〜図２１に基づいて第２実施形態に係るドアホンシステムのメイン処理及びアップデート処理、不使用タイミング決定処理について説明する。なお、前述したように、第２実施形態における室内親機１０、玄関子機５０及び管理サーバ１００の電気的な基本構成は第１実施形態と略共通であるため、以下ではその構成、さらには第１実施形態と同様に行われる処理についての説明は省略する。
【０１４２】
図１９に示すように、制御部３０のＣＰＵ３１は、先ず、ＲＡＭアクセス許可、作業領域初期化などの初期設定処理を実行する（ステップＳ１００）。
【０１４３】
次いで、ＣＰＵ３１は、管理サーバ１００からの接続要求が有るか否かを判定する（ステップＳ１０５）。このときの管理サーバ１００からの接続要求は、後述するように、管理サーバ１００がアップデートタイミングであると判定した際にドアホン装置１に送信する信号である。すなわち、本実施形態では、第１実施形態では室内親機１０がメイン処理として行った不使用タイミング決定処理（図１２及び図１４参照）を管理サーバ１００が行っている。
【０１４４】
ステップＳ１０５で接続要求有りと判定するとＣＰＵ３１はステップＳ５００に処理を移し、接続要求無しと判定した場合はドアホン装置１の基本動作処理である来訪処理を実行する（ステップＳ２００）。このステップＳ２００の来訪処理については、図１３に示した処理の流れと同様である。次に、ＣＰＵ３１は、管理サーバ１００に対して、来訪履歴情報を送信する（ステップＳ６００）。
【０１４５】
なお、ここでは、来訪処理を終えた後に、来訪履歴情報を管理サーバ１００に送信しているが、図１３における来訪履歴情報記憶処理（ステップＳ２２０）と通話処理（ステップＳ２３０）との間で来訪履歴情報送信処理を行い、記憶部３内の来訪履歴情報を管理サーバ１００へ送信するようにして、来訪履歴情報の送信処理を来訪処理内で行うこともできる。
【０１４６】
次に、ステップＳ５００で実行されるアップデート処理について説明する。なお、このアップデート処理については端末となる室内親機１０も関連するため、室内親機１０の動作処理の流れについても示してある。
【０１４７】
ここで、管理サーバ１００においては、図１４に示した処理と略同様な処理によって不使用タイミング決定処理がなされている。すなわち、ドアホン装置１の室内親機１０から送信されてきた来訪履歴情報を時系列的に記憶部１１０に記憶しておき、例えば１週間なりに設定された単位期間が経過し、例えば月曜日の０時などに設定した不使用タイミングを決定する時間になると、記憶された来訪履歴情報に基づいて不使用判定タイミングを決定し、算出した仮アクセス時刻を記憶部１１０に記憶するのである。
【０１４８】
図２０に示すように、管理サーバ１００は不使用タイミングになったか否かを判定し（ステップＳ６０５）、不使用タイミングになっていないと判定すると、図２１に示す不使用タイミング決定処理を実行する。
【０１４９】
この不使用タイミング決定処理は、先に図１４にて説明した処理と基本的に同じであるが、冒頭のステップＳ３１５にて、不使用タイミングの決定を行う所定の日時であるか否かを判定することとしている。この所定の日時は、来訪履歴情報の蓄積状況等に応じて適宜選択することができ、ここでは前述のように、月曜日の０時に実行することとしている。
【０１５０】
ここで管理サーバ１００が、所定日時であると判断した場合には、処理をステップＳ３２０へ移し、以下、ステップＳ３８０に至るまで実行した後、分岐前のアドレスに処理を戻す。なお、このステップＳ３２０からステップＳ３８０までの処理については、先に図１４にて説明した処理と基本的に同じであるため、説明を省略する。一方、所定日時ではないと判断した場合には、管理サーバ１００は、処理をそのまま分岐前のアドレスに戻すこととなる。
【０１５１】
図２０のステップＳ６０５に説明を戻すと、管理サーバ１００が不使用タイミングになったと判定すると、室内親機１０に接続を要求する（ステップＳ６０７）。すなわち、管理サーバ１００のＣＰＵ１３１が、記憶部１１０に記憶されている不使用タイミングの始点時刻（実際のアクセス時刻）を検出し、通信装置１４３からネットワーク２００を介して室内親機１０へ接続を要求する信号を送るのである。
【０１５２】
ドアホン装置１の室内親機１０は、管理サーバ１００からの接続の要求が有ると管理サーバ１００に接続する（ステップＳ６１０）。すなわち、室内親機１０の制御部３０のＣＰＵ３１が、ネットワーク２００を介して外部通信Ｉ／Ｆ４４より管理サーバ１００からの接続を要求する信号を受けるとＣＰＵ３１は管理サーバ１００との通信を確立するのである。
【０１５３】
また、管理サーバ１００は、室内親機１０との接続が確立すると、ＣＰＵ１３１は、室内親機１０に履歴データの有無の問い合わせ信号を送信する（ステップＳ６１５）。
【０１５４】
問い合わせを受けた室内親機１０は、履歴データ有るかどうか検索し、その有無を管理サーバ１００に連絡する（ステップＳ６２０）。そして、履歴データが有る場合は（ステップＳ６３０：ＹＥＳ）、履歴データを管理サーバ１００に送信し（ステップＳ６４０）、さらには更新データの有無を管理サーバ１００に問い合わせる（ステップＳ６５０）。
【０１５５】
一方、管理サーバ１００は、ステップＳ６２０によって室内親機１０から履歴データ有りの信号を受信した場合は（ステップＳ６２５：ＹＥＳ）、続いてその履歴データを受信し（ステップＳ６４５）、更新データの有無の問い合わせに対し、更新データがあるかどうかを検索して更新データの有無をドアホン装置１に連絡する（ステップＳ６５５）。
【０１５６】
そして、管理サーバ１００の制御部１３０のＣＰＵ１３１は、記憶部１１０にドアホン装置用の更新データがある場合（ステップＳ６６５：ＹＥＳ）、先の更新データの有無の連絡信号に続いて更新データを送信する（ステップＳ６６７）。この更新データの中には不審情報も含まれている。
【０１５７】
室内親機１０のＣＰＵ３１は、管理サーバ１００からの信号を受けて、更新データの有無を判定して有る場合（ステップＳ６６０：ＹＥＳ）、管理サーバ１００からの更新データを引き続き受信する（ステップＳ６７０）。更新データを受信した室内親機１０のＣＰＵ３１は、更新データを記憶部３に記憶して、必要に応じて古いデータを上書きする。
【０１５８】
次に、室内親機１０のＣＰＵ３１は、管理サーバ１００にドアホン装置１用の更新プログラムがあるかどうか問い合わせ信号を送る（ステップＳ６８０）。
【０１５９】
問い合わせを受けた管理サーバ１００は、更新プログラムがあるかどうかを検索し、更新プログラムの有無をドアホン装置１に連絡する（ステップＳ６８５）。そして、管理サーバ１００の制御部１３０のＣＰＵ１３１は、記憶部１１０にドアホン装置用の更新プログラムがある場合（ステップＳ６９５：ＹＥＳ）、先の更新プログラムの有無の連絡信号に続いて更新プログラムを送信する（ステップＳ６９７）。
【０１６０】
室内親機１０のＣＰＵ３１は、管理サーバ１００からの信号を受けて、更新プログラムの有無を判定して、有る場合は管理サーバ１００からの更新プログラムを引き続き受信する（ステップＳ６９０：ＹＥＳ）。更新プログラムを受信した室内親機１０のＣＰＵ３１は、更新プログラムを記憶部３に上書きして記憶してアップデートを行う。
【０１６１】
更新プログラムの送信処理（ステップＳ６９７を終えた管理サーバ１００のＣＰＵ１３１は、室内親機１０との通信を切断する（ステップＳ７０５）、そして、更新プログラムの受信を終えた室内親機１０のＣＰＵ３１も管理サーバ１００との通信を切断し（ステップＳ７１０）、アップデート処理を終了する。
【０１６２】
このようにして、本実施形態によっても、プログラムやデータのアップデート（更新）タイミングをドアホン装置１としての基本機能である来訪者との応答処理が実行されることのないタイミングで効率的に行うことができる。また、不使用タイミングの決定については管理サーバ１００が行うため、ドアホン装置１のＣＰＵ３１の能力をさほど高くする必要がないため、コストアップを招く虞がない。
【０１６３】
（第３実施形態）
上述してきた第１、第２実施形態では、ドアホン装置１は、アップデートデータを当該ドアホン装置１とネットワーク２００で接続された管理サーバ１００から取得するようにしたが、ネットワーク２００に接続された他のドアホン装置１から通信回線を介してアップデートデータを取得することもできる。
【０１６４】
すなわち、第３実施形態に係るドアホンシステムは、複数のドアホン装置１，１・・を備え、当該ドアホン装置１，１・・間でアップデートデータをネットワーク２００を介して送受信することができ、各前記ドアホン装置１は、来訪者の来訪を検出する来訪検出手段と、前記来訪検出手段により検出された来訪の履歴情報を来訪履歴情報として記憶する来訪履歴情報記憶手段と、前記来訪履歴情報に基づいて、不使用タイミングを判定する不使用タイミング判定手段と、前記不使用タイミング判定手段で判定した不使用タイミングで、他のドアホン装置１からネットワーク２００を介してアップデートデータを取得するデータ取得手段と、プログラム及び当該プログラムで用いるデータを記憶する記憶手段と、前記取得したアップデートデータにより前記記憶手段に記憶したプログラム及び／又はデータを更新するアップデート手段とを備えている。なお、この場合、来訪検出手段、不使用タイミング判定手段、データ取得手段、及びアップデート手段は制御部３０がその機能を担い、来訪履歴情報記憶手段、記憶手段は記憶部３がその機能を担う（図６参照）。
【０１６５】
つまり、システム中のドアホン装置１は、来訪履歴情報を他のドアホン装置１へネットワーク２００を介して送信する来訪履歴情報送信手段として、上述してきた構成と同じく制御部３０や外部通信Ｉ／Ｆ４４を備えており、他のドアホン装置１から前記アップデートデータを取得する場合、前記不使用タイミング判定手段として機能する室内親機１０の制御部３０は、他のドアホン装置１から当該他のドアホン装置１の記憶部３に記憶された来訪履歴情報をネットワーク２００を介して取得し、他のドアホン装置１と自装置１に共通する不使用タイミングを、前記制御部３０が外部通信Ｉ／Ｆ４４を介してアップデートデータを取得する不使用タイミングとするのでる。
【０１６６】
このように、ネットワーク２００に接続されたアップデートデータを記憶している他のドアホン装置１に接続し、ドアホン装置１の相互の不使用タイミングを照合して、ドアホン装置１が全く使用されていない時間帯か、使用頻度が低い時間帯を利用して、Ｐ２Ｐにより、アップデートデータを記憶している他のドアホン装置１からアップデートデータを取得し、記憶しているプログラム及び当該プログラムで用いるデータを更新する。
【０１６７】
なお、アップデートデータの取得先となる他のドアホン装置１は、ネットワーク２００に接続されている複数のドアホン装置１の中からランダムに選択する、順番に選択する、一律に取りに行く、アップデートデータがある程度たまったら更新データがある旨をマルチキャストする等の方法がある。なお本実施形態におけるドアホン装置１のハード構成は第１実施形態や第２実施形態と同じであるので説明を省略する。
【０１６８】
以上の各実施形態から、以下のドアホン装置、ドアホン装置のプログラム、ドアホンシステム、及びドアホン装置のデータ取得方法が実現される。
【０１６９】
（１）来訪者に対してプログラムによって決定された来訪処理を行うドアホン装置であって、来訪者の来訪を検出する来訪検出手段（例えば、室内親機１０の制御部３０又は玄関子機５０の制御部８０）と、前記来訪検出手段により検出された来訪の履歴情報を来訪履歴情報として記憶する来訪履歴情報記憶手段（例えば、室内親機１０の記憶部３）と、前記来訪履歴情報に基づいて、不使用タイミングを判定する不使用タイミング判定手段（例えば、室内親機１０の制御部３０）と、前記不使用タイミング判定手段により判定した不使用タイミングで、他の装置（例えば、管理サーバ１００や他のドアホン装置１）から通信回線（ネットワーク２００）を介してアップデートデータを取得するデータ取得手段（例えば、室内親機１０の制御部３０及び外部通信Ｉ／Ｆ４４）と、プログラム及び当該プログラムで用いるデータを記憶する記憶手段（例えば、室内親機１０のＲＯＭ３２）と、前記取得したアップデートデータにより前記記憶手段に記憶したプログラム及び／又はデータを更新するアップデート手段（例えば、室内親機１０の制御部３０）とを備えたドアホン装置１。
【０１７０】
（１）のドアホン装置１によれば、使用者がアップデートのための時間をわざわざ設定しなくても、ドアホン装置１の不使用タイミングでアップデート用のプログラムやデータを取得することができる。そのため、来訪者に対する来訪処理と、プログラムやデータなどの取得処理とが同時に行わることを可及的に防止でき、ドアホン装置１の処理能力を特別に高めることなく、来訪者に対する来訪処理と、プログラムやデータなどの取得処理とを円滑に行うことが可能となる。
【０１７１】
（２）上記（１）のドアホン装置１において、前記不使用タイミング判定手段（例えば、室内親機１０の制御部３０）は、単位期間（例えば、１日、１週間、１ヶ月等）における不使用タイミングを判定するドアホン装置１。
【０１７２】
（２）のドアホン装置１によれば、１日、１週間、１ヶ月等の単位期間における来訪者の状況に応じて、適当な時間帯をデータ等の更新のための不使用タイミングとすることができるので、アップデートを適切に行うことができる。
【０１７３】
（３）上記（２）のドアホン装置において、前記不使用タイミング判定手段（例えば、室内親機１０の制御部３０）は、前記来訪履歴情報に基づき、前記単位期間（例えば、１日、１週間、１ヶ月等）内において来訪通知の検出間隔が最も長い時間帯又は当該検出間隔が所定時間以上の時間帯（例えば、図１６参照）を判定し、当該時間帯を不使用タイミングとして判定するドアホン装置１。
【０１７４】
（３）のドアホン装置１によれば、来訪通知の検出間隔が最も長い時間帯を不使用タイミングとするので、来訪者が訪れる可能性が低い時間帯に、アップデートが適切に行われる。
【０１７５】
（４）上記（２）のドアホン装置１において、前記不使用タイミング判定手段（例えば、室内親機１０の制御部３０）は、前記来訪履歴情報に基づき、前記単位期間（例えば、１日、１週間、１ヶ月等）内において一定時間来訪者がない時間帯（例えば、図１７参照）を判定し、当該時間帯を不使用タイミングとして判定するドアホン装置１。
【０１７６】
（４）のドアホン装置１によれば、一定時間来訪者がない時間帯を不使用タイミングとして特定するため、複数の不使用タイミングを決定することができる。これにより、アップデートの機会を複数特定できるので、アップデートを適切に行うことができる。
【０１７７】
（５）上記（４）のドアホン装置１において、前記不使用タイミング判定手段（例えば、室内親機１０の制御部３０）は、前記アップデートデータのデータサイズ又は前記アップデートデータの取得時間に応じて前記一定時間を変更するドアホン装置１。
【０１７８】
（５）のドアホン装置１によれば、アップデートデータのサイズや取得時間に応じて、不使用タイミングを決定することができるため、アップデートを適切に行うことができる。
【０１７９】
（６）上記（２）〜（５）のいずれかのドアホン装置１において、前記不使用タイミング判定手段（例えば、室内親機１０の制御部３０）は、特定時間から始まる期間を前記単位期間として不使用タイミングを判定するドアホン装置１。
【０１８０】
（６）のドアホン装置１によれば、特定時間から始まる期間における来訪者の状況に応じて、適当な時間帯をデータ等の更新のための不使用タイミングとすることができるので、アップデートを適切に行うことができる。
【０１８１】
（７）上記（６）に記載のドアホン装置１において、前記不使用タイミング判定手段（例えば、室内親機１０の制御部３０）は、前記特定時間を午前０時として不使用タイミングを判定するドアホン装置１。
【０１８２】
（７）のドアホン装置１によれば、午前０時から始まる期間を特定期間の開始とすることができるので、一般の家庭の場合、通常来訪者が来ない深夜の時間帯を不使用タイミングに決定することができ、アップデートを適切に行うことができる。
【０１８３】
（８）上記（１）〜（７）のいずれかのドアホン装置１において、前記来訪履歴情報を他のドアホン装置１へ前記通信回線（ネットワーク２００）を介して送信する来訪履歴情報送信手段（例えば、外部通信Ｉ／Ｆ４４）を備え、前記他のドアホン装置１から、前記データ取得手段（例えば、室内親機１０の制御部３０や外部通信Ｉ／Ｆ４４）により前記アップデートデータを取得する場合、前記不使用タイミング判定手段（例えば、室内親機１０の制御部３０）は、前記他のドアホン装置１から当該他のドアホン装置１の来訪履歴情報記憶手段（例えば、記憶部３）に記憶した来訪履歴情報を前記通信回線（ネットワーク２００）を介して取得し、前記他のドアホン装置１と自装置１に共通する不使用タイミングを、前記データ取得手段がアップデートデータを取得する前記不使用タイミングとするドアホン装置１。
【０１８４】
（８）のドアホン装置１によれば、アップデートデータを取得する他のドアホン装置１の不使用タイミングと、自ドアホン装置１の不使用タイミングとを調整して、アップデートデータを取得することができる。これにより、双方のドアホン装置１，１が動作が不安定になることを避けることができ、ドアホン装置１の利用に支障が生じない。
【０１８５】
（９）上記（１）〜（８）のいずれかのドアホン装置１において、前記来訪検出手段（例えば、制御部８０）を設けた玄関子機５０を備え、前記不使用タイミング判定手段は、前記不使用タイミングとして前記玄関子機５０の不使用タイミングを判定するドアホン装置１。
【０１８６】
（９）のドアホン装置１によれば、例えば、ドアホン装置１の利用者が留守であったり、対応しなかったりした場合でも、来訪者の来訪履歴を検出することができる。これにより、不使用タイミングを適切に決定することができ、ひいてはアップデートについても適切に行うことができる。
【０１８７】
（１０）上記（１）〜（８）のいずれかのドアホン装置１において、玄関子機５０と、前記来訪検出手段（例えば、制御部３０）を設けた室内親機１０を備え、前記来訪検出手段は、前記玄関子機５０からの通知に基づき前記来訪者の来訪を検出するドアホン装置１。
【０１８８】
（１０）のドアホン装置１によれば、ドアホン装置１の室内親機１０が来訪者の来訪を検出するので、玄関子機５０の機構を単純化し、ドアホン装置１の生産コストを下げることができる。
【０１８９】
（１１）コンピュータを、上記（１）〜（１０）のいずれかのドアホン装置１における各手段として機能させるためのプログラム（例えば、ＲＯＭ３２に記憶されているプログラム）。
【０１９０】
（１１）かかるプログラムをコンピュータによって実行することにより、上記（１）〜（１０）のいずれかのドアホン装置１における各手段を円滑に機能させ、上述した各作用効果を得ることができる。
【０１９１】
（１２）ドアホン装置１と、当該ドアホン装置１にアップデートデータを送信するサーバ装置（例えば、管理サーバ１００）とを有するドアホンシステム（例えばドアホンシステム４００）であって、前記ドアホン装置１は、来訪者の来訪を検出する来訪検出手段（例えば、室内親機１０の制御部３０や玄関子機５０の制御部８０）と、前記来訪検出手段により検出された来訪の履歴情報を来訪履歴情報として記憶する来訪履歴情報記憶手段（例えば、記憶部３）と、前記来訪履歴情報に基づいて、不使用タイミングを判定する不使用タイミング判定手段（例えば、制御部３０）と、前記不使用タイミング判定手段で判定した不使用タイミングで、前記サーバ装置から通信回線（ネットワーク２００）を介してアップデートデータを取得するデータ取得手段（例えば、室内親機１０の制御部３０や外部通信Ｉ／Ｆ４４）と、プログラム及び当該プログラムで用いるデータを記憶する記憶手段（例えば、ＲＯＭ３２）と、前記取得したアップデートデータにより前記記憶手段に記憶したプログラム及び／又はデータを更新するアップデート手段（例えば、制御部３０）と、を備え、前記サーバ装置は、アップデートデータを記憶するデータ記憶手段（例えば、記憶部１１０）と、前記ドアホン装置１からの要求に応じて、当該ドアホン装置１に前記データ記憶手段に記憶したアップデートデータを送信するデータ送信手段（例えば、通信装置１４３）と、を備えたドアホンシステム。
【０１９２】
（１２）のドアホンシステムによれば、上記（１）と同様に、ドアホン装置１が、ドアホン装置１が全く使用されていないか又はほとんど使用されていない一定の時間帯を不使用タイミングとして判定し、その時間帯にプログラムやデータのアップデートを行うことができる。これにより、ドアホン装置１の動作が不安定となったり、アップデートのための時間を設定したりする不便を避けることができる。
【０１９３】
（１３）ドアホン装置１と、当該ドアホン装置１にアップデートデータを通信回線（ネットワーク２００）を介して送信するサーバ装置（例えば、管理サーバ１００）とを有するドアホンシステムであって、前記ドアホン装置１は、来訪者の来訪を検出する来訪検出手段（例えば、室内親機１０の制御部３０や玄関子機５０の制御部８０）と、前記来訪検出手段により検出された来訪の履歴情報を来訪履歴情報として記憶する来訪履歴情報記憶手段（例えば、室内親機１０の記憶部３）と、前記来訪履歴情報記憶手段に記憶した来訪履歴情報を前記サーバ装置へ送信する来訪履歴情報送信手段（例えば、外部通信Ｉ／Ｆ４４）と、プログラム及び当該プログラムで用いるデータを記憶する記憶手段（例えば、ＲＯＭ３２）と、前記通信回線を介して前記サーバ装置からアップデートデータを取得するデータ取得手段（例えば、室内親機１０の制御部３０や外部通信Ｉ／Ｆ４４）と、前記取得したアップデートデータにより前記記憶手段に記憶したプログラム及び／又はデータを更新するアップデート手段（例えば、室内親機１０の制御部３０）と、を備え、前記サーバ装置は、前記ドアホン装置１から送信された来訪履歴情報に基づいて、前記ドアホン装置１の不使用タイミングを判定する不使用タイミング判定手段（例えば、制御部１３０）と、前記不使用タイミング判定手段で判定した不使用タイミングで、前記ドアホン装置１へ通信回線を介してアップデートデータを送信するデータ送信手段（例えば、通信装置１４３）と、を備えたドアホンシステム。
【０１９４】
（１３）のドアホンシステムによれば、プログラムやデータのアップデート（更新）タイミングをドアホン装置１としての基本機能である来訪者との応答処理が実行されることのないタイミングで効率的に行うことができる。また、不使用タイミングの決定についてはサーバ装置（管理サーバ１００）が行うため、ドアホン装置１の能力をさほど高くする必要がないため、装置全体のコストアップを招く虞がない。
【０１９５】
（１４）複数のドアホン装置１，１・・を備え、当該ドアホン装置１，１・・間でアップデートデータを通信回線（ネットワーク２００）を介して送受信するドアホンシステムであって、各前記ドアホン装置１は、来訪者の来訪を検出する来訪検出手段（例えば、室内親機１０の制御部３０や玄関子機５０の制御部８０）と、前記来訪検出手段により検出された来訪の履歴情報を来訪履歴情報として記憶する来訪履歴情報記憶手段（例えば、室内親機１０の記憶部３）と、前記来訪履歴情報に基づいて、不使用タイミングを判定する不使用タイミング判定手段（例えば、室内親機１０の制御部３０）と、前記不使用タイミング判定手段で判定した不使用タイミングで、他のドアホン装置１から通信回線を介してアップデートデータを取得するデータ取得手段（例えば、室内親機１０の制御部３０や外部通信Ｉ／Ｆ４４）と、プログラム及び当該プログラムで用いるデータを記憶する記憶手段（例えば、ＲＯＭ３２）と、前記取得したアップデートデータにより前記記憶手段に記憶したプログラム及び／又はデータを更新するアップデート手段（例えば、室内親機１０の制御部３０）と、を備えたドアホンシステム。
【０１９６】
（１４）のドアホンシステムによれば、上記（１）と同様に、ドアホン装置１が、ドアホン装置１が全く使用されていないか又はほとんど使用されていない一定の時間帯を不使用タイミングとして判定し、その時間帯にプログラムやデータのアップデートを他のドアホン装置１からアップデートデータを取得して実行することができる。例えば、他のドアホン装置１と自装置１に共通する不使用タイミングを、制御部３０がアップデートデータを取得する不使用タイミングとすることで、アップデートデータを供給する側、受ける側のいずれのドアホン装置１も、その動作が不安定となったり、アップデートのための時間を設定したりする不便を避けることができる。
【０１９７】
（１５）ドアホン装置１でアップデートデータを取得するデータ取得方法であって、来訪検出手段（例えば、室内親機１０の制御部３０や玄関子機５０の制御部８０）により来訪者の来訪を検出するステップと、前記来訪検出手段により検出した来訪の履歴情報を来訪履歴情報として来訪履歴情報記憶手段（例えば、室内親機１０の記憶部３）に記憶するステップと、前記来訪履歴情報記憶手段に記憶した来訪履歴情報に基づいて、不使用タイミングを不使用タイミング判定手段（例えば、室内親機１０の制御部３０）により判定するステップと、前記タイミング判定手段によって判定した不使用タイミングで、データ取得手段（例えば、室内親機１０の制御部３０や外部通信Ｉ／Ｆ４４）により他のドアホン装置１から通信回線（ネットワーク２００）を介してアップデータを取得するステップと、前記データ取得手段によって取得したアップデートデータにより記憶手段（例えば，ＲＯＭ３２）に記憶したプログラム及び／又はデータをアップデート手段（例えば、室内親機１０の制御部３０）により更新するステップとを有するデータ取得方法。
【０１９８】
（１５）のデータ取得方法によれば、（１）と同様に、ドアホン装置１が、ドアホン装置１が全く使用されていないか又はほとんど使用されていない一定の時間帯を不使用タイミングとして判定し、その時間帯にプログラムやデータのアップデートを行う。これにより、ドアホン装置１の動作が不安定となったり、アップデートのための時間を設定したりする不便を避けることができる。
【０１９９】
以上、第１〜第３の実施形態を通して本発明を説明したが、本発明はこれらに限定されるものではない。例えば、来訪履歴情報記憶手段をドアホン装置１に設ける場合、第１、第２実施形態では室内親機１０の記憶部３としたが、図９に示した玄関子機５０の制御部８０のＲＯＭ８２を、例えばＥＰＲＯＭとしておき、これを来訪履歴情報記憶手段とすることもできる。この場合、不使用タイミング判定手段として機能する室内親機１０の制御部３０は、通信Ｉ／Ｆ４３を介して来訪履歴情報を取得すればよい。
【０２００】
また、玄関子機５０の制御部８０が来訪検出手段として機能する場合、例えば、室内親機１０を介して外出情報を入力可能とし、この外出情報が玄関子機５０に送信されるような構成とすることで、玄関子機５０が来訪を検出した際に、「現在留守にしています。」などのメッセージをスピーカ５１から出力させることもできる。このとき、タッチパネル５７から用件を入力させてもよい。なお、この場合も、セキュリティの面からすれば、玄関子機５０は、来訪を検出するとカメラ５５で来訪者を撮影し、この撮像データを来訪履歴情報とともに室内親機１０に通信するものとしておくことが好ましい。
【０２０１】
また、本実施の形態に記載された効果は、本発明から生じる最も好適な効果を列挙したに過ぎず、本発明による効果は、本実施の形態に記載されたものに限定されるものではない。
【図面の簡単な説明】
【０２０２】
【図１】第１実施形態に係るドアホンシステムにおけるドア本装置の機能ブロック図である。
【図２】同ドアホンシステムの構成の概要を示す説明図である。
【図３】同ドアホンシステムにおけるドアホンを構成する室内親機の外観を示す説明図である。
【図４】同システムにおけるドアホンを構成するドアホンを構成する玄関子機の外観を示す説明図である。
【図５】不使用タイミングの時間帯を示す説明図である。
【図６】室内親機のブロック図である。
【図７】来訪履歴情報を示すテーブルである。
【図８】ドアホン装置のプロフィール情報を示すテーブルである。
【図９】玄関子機のブロック図である。
【図１０】管理サーバのブロック図である。
【図１１】不審情報データベースの説明図である。
【図１２】ドアホン装置のメイン処理の流れを示す説明図である。
【図１３】来訪処理の流れを示す説明図である。
【図１４】不使用タイミング決定処理の流れを示す説明図である。
【図１５】アップデート処理の流れを示す説明図である。
【図１６】不使用タイミングの時間帯の一例を示す説明図である。
【図１７】不使用タイミングの時間帯の一例を示す説明図である。
【図１８】第２実施形態に係るドアホンシステムの概略を示す説明図である。
【図１９】同ドアホンシステムのメイン処理の流れを示す説明図である。
【図２０】同ドアホンシステムにおけるアップデート処理の流れを示す説明図である。
【図２１】同ドアホンシステムにおける不使用タイミング決定処理の流れを示す説明図である。
【符号の説明】
【０２０３】
１    ドアホン装置
３    記憶部
１０    室内親機
３０，８０，１３０    制御部
５０    玄関子機
１００    管理サーバ（サーバ装置）
２００    ネットワーク（通信回線）
【図１】
2010154347.tif 000003
【図２】
2010154347.tif 000004
【図３】
2010154347.tif 000005
【図４】
2010154347.tif 000006
【図５】
2010154347.tif 000007
【図６】
2010154347.tif 000008
【図７】
2010154347.tif 000009
【図８】
2010154347.tif 000010
【図９】
2010154347.tif 000011
【図１０】
2010154347.tif 000012
【図１１】
2010154347.tif 000013
【図１２】
2010154347.tif 000014
【図１３】
2010154347.tif 000015
【図１４】
2010154347.tif 000016
【図１５】
2010154347.tif 000017
【図１６】
2010154347.tif 000018
【図１７】
2010154347.tif 000019
【図１８】
2010154347.tif 000020
【図１９】
2010154347.tif 000021
【図２０】
2010154347.tif 000022
【図２１】
2010154347.tif 000023